(57)【特許請求の範囲】
【請求項１】
入力受信装置（ＩＲＤ）の入力に基づいて複数のメディア送信先装置（ＤＤ１、ＤＤ２、ＤＤ３）のうちのメディア送信先装置（ＤＤ１）へメディアコンテンツを配信するシステムであって、前記入力が前記メディアコンテンツを選択し、前記メディアコンテンツを配信するシステムが、
ａ．前記入力受信装置（ＩＲＤ）を複数のメディア送信先装置（ＤＤ１、ＤＤ２、ＤＤ３）のうちの少なくとも１つのメディア送信先装置（ＤＤ１）に関連付け、少なくとも１つの事前定義されたポリシを前記関連付けに適用するように構成された関連付け装置（ＡＤ）
をさらに備えることを特徴とする、メディアコンテンツを配信するシステム。
【請求項２】
ｂ．前記入力受信装置と前記少なくとも１つのメディア送信先装置（ＤＤ１）との間の前記関連付けに基づいて前記少なくとも１つのメディア送信先装置（ＤＤ１）に前記メディアコンテンツを配信するように構成されたメディア配信装置（ＭＤＤ）
をさらに備えることを特徴とする、請求項１に記載のメディアコンテンツを配信するシステム。
【請求項３】
複数の送信先装置のうちの送信先装置にメディアをプロビジョニングするように構成されているメディア配信装置（ＭＤＤ）の前記メディアを選択するための入力を受信するための入力受信装置（ＩＲＤ）であって、前記入力受信装置と複数の送信先装置のうちの少なくとも１つの送信先装置との間の関連付けを保持し、少なくとも１つの事前定義されたポリシを前記関連付けに適用するように構成された関連付け装置に前記入力を転送するように構成された入力転送部（ＩＦＰ）を備えることを特徴とする、入力受信装置（ＩＲＤ）。
【請求項４】
システム内の入力受信装置（ＩＲＤ）の入力に基づいて複数のメディア送信先装置（ＤＤ１、ＤＤ２、ＤＤ３）のうちのメディア送信先装置（ＤＤ１）へのメディアコンテンツ配信用の前記システム内で使用されるための関連付け装置（ＡＤ）であって、前記入力受信装置（ＩＲＤ）を複数のメディア送信先装置（ＤＤ１、ＤＤ２、ＤＤ３）のうちの少なくとも１つのメディア送信先装置（ＤＤ１）に関連付け、少なくとも１つの事前定義されたポリシを前記関連付けに適用するように構成された関連付け部（ＡＰ）を有する、関連付け装置（ＡＤ）。
【請求項５】
メディア配信装置（ＭＤＤ）によって前記少なくとも１つのメディア送信先装置（ＤＤ１）のそれぞれに前記メディアをプロビジョニングするために前記入力受信装置（ＩＲＤ）と前記少なくとも１つのメディア送信先装置（ＤＤ１）との前記関連付けを前記メディア配信装置（ＭＤＤ）に転送するように構成された関連付け転送部（ＡＦＰ）をさらに備える、請求項４に記載の関連付け装置（ＡＤ）。
【請求項６】
システム内の入力受信装置（ＩＲＤ）の入力に基づいて複数のメディア送信先装置（ＤＤ１、ＤＤ２、ＤＤ３）のうちのメディア送信先装置（ＤＤ１）へのメディアコンテンツ配信用の前記システム内で使用されるためのメディア配信装置（ＭＤＤ）であって、前記入力が前記メディアコンテンツを識別し、前記メディア配信装置（ＭＤＤ）が、前記少なくとも１つの送信先装置（ＤＤ１）に前記メディアコンテンツをプロビジョニングするために前記入力受信装置と複数のメディア送信先装置（ＤＤ１、ＤＤ２、ＤＤ３）のうちの前記少なくとも１つのメディア送信先装置（ＤＤ１）との関連付けおよび少なくとも１つの事前定義されたポリシから前記複数の送信先装置（ＤＤ１、ＤＤ２、ＤＤ３）のうちの前記少なくとも１つの送信先装置（ＤＤ１）を決定するように構成された送信先決定部（ＤＤＰ）を備えることを特徴とする、メディア配信装置（ＭＤＤ）。
【請求項７】
前記少なくとも１つの送信先装置（ＤＤ１）のそれぞれに前記メディアコンテンツをプロビジョニングするように構成されたメディアプロビジョニング部（ＭＰＰ）をさらに備えることを特徴とする、請求項６に記載のメディア配信装置（ＭＤＤ）。
【請求項８】
請求項３に記載の入力受信装置を備える、ユーザ端末装置。
【請求項９】
携帯電話であることを特徴とする、請求項８に記載のユーザ端末装置。
【請求項１０】
前記ユーザ入力受信装置がタグ読取り装置であることを特徴とする、請求項８または９に記載のユーザ端末装置。
【請求項１１】
前記ユーザ入力受信装置がＲＦＩＤ読取り装置であることを特徴とする、請求項８または１０に記載のユーザ端末装置。
【発明の詳細な説明】
【技術分野】
【０００１】
本発明は、メディア送信先装置へメディアコンテンツを配信するシステム、関連の入力受信装置および関連のマルチメディア配信装置に関する。
【背景技術】
【０００２】
メディア送信先装置へのメディアコンテンツ配信用のこの種のシステムは、当技術分野でよく知られている。通常、この種のシステムは入力を受信するための入力受信装置を備え、そこでこの入力がメディア配信システムでメディアを選択するために使用される。通常、この種のシステムは複数のメディア送信先装置を備え、そこでこの種のメディア送信先装置のそれぞれが単一の入力受信装置を備える、または単一の入力受信装置に結合されている。
【０００３】
各メディア送信先装置は、ローカルなメディア配信装置を備える、または少なくとも１つの通信網を介して遠隔のメディア配信装置に結合されることができる。あるメディア送信先装置宛のメディアが、入力受信装置で受信した入力に基づいて選択され、入力受信装置からメディア配信装置に転送され、それに応答してメディア配信装置は、受信した入力に基づいて選択されたメディアをメディア送信先装置にプロビジョニングする。
【０００４】
入力受信装置を送信先装置に直接結合することにより、選択されたメディアが、要求する送信先装置にプロビジョニングされることになる。
【０００５】
したがってそれが、この種のシステムではメディアコンテンツの配信が自由度を欠くという点でメディア送信先へのメディアコンテンツ配信用のこの種のシステムの欠点である。
【発明の概要】
【発明が解決しようとする課題】
【０００６】
より自由度のあるメディア送信先へメディアコンテンツを配信するシステムを提供することが本発明の１つの目的である。
【課題を解決するための手段】
【０００７】
本発明によればこの目的は、請求項１によるメディア送信先へメディアコンテンツを配信するシステム、請求項３による入力受信装置、請求項４による関連付け装置、請求項６によるメディア配信装置および請求項８によるユーザ端末装置によって実現される。
【０００８】
実際にこの目的は、メディアコンテンツを配信するシステムが入力受信装置を複数のメディア送信先装置のうちの少なくとも１つのメディア送信先装置に関連付けるための手段を備えるということにより実現される。このようにして、入力受信装置を少なくとも１つの送信先装置に関連付けることによって入力受信装置を介して選択されたメディアが、入力装置に関連付けられている少なくとも１つの送信先装置の各装置にプロビジョニングされることができる。さらに本発明によるシステムは、入力受信装置が入力受信装置から遠く離れて配置されている１つまたは複数の送信先装置に柔軟に結合されることができるという点で有利である。
【０００９】
本発明のさらなる特徴的な機能が請求項２で説明される。
【００１０】
メディアコンテンツを配信するシステムは、入力受信装置と少なくとも１つのメディア送信先装置との間の関連付けに基づいて少なくとも１つのメディア送信先装置にメディアコンテンツを配信するように構成されているメディア配信部をさらに備える。入力受信装置と少なくとも１つの送信先装置との間の関連付けに基づいて、複数の送信先装置のうちのどの送信先装置が、入力受信装置によって受信した入力に基づいて選択されるメディアコンテンツをプロビジョニングするために選択されるべきであるかが決定される。
【００１１】
本発明の他のさらなる特徴的な機能が請求項７で説明される。メディア配信装置は、前記少なくとも１つの送信先装置（ＤＤ１）のそれぞれにメディアコンテンツをプロビジョニングすることができるメディアプロビジョニング部をさらに備える。
【００１２】
本発明の他の特徴的な機能が請求項９で説明される。
【００１３】
ユーザに対応するユーザ端末装置は携帯電話である。
【００１４】
本発明の他の特徴的な機能が請求項１０で説明される。
【００１５】
ユーザ端末装置は、タグ読取り装置であるユーザ入力受信装置を備えることができる。装置は任意の種類のタグ読取り装置であってよい。
【００１６】
本発明の他の特徴的な機能が請求項１１で説明される。
【００１７】
ユーザ端末装置のタグ読取り装置はＲＦＩＤ読取り装置であってよい。
【００１８】
「特許請求の範囲」でも使用される用語「備える」は、その後記載される手段に限定されると解釈されるべきではないことに留意されるべきである。したがって、表現「手段ＡおよびＢを備える装置」の範囲は、構成要素ＡおよびＢだけから成る装置に限定されるべきではない。それは、本発明に対して装置の関連の構成要素がＡおよびＢであることを意味する。
【００１９】
同様に、「特許請求の範囲」でも使用される用語「結合される」は、直接接続だけに限定されると解釈されるべきではないことに留意されるべきである。したがって、表現「装置Ｂに結合された装置Ａ」の範囲は、装置Ａの出力が装置Ｂの入力に直接接続されている（および／または逆もまた同様に）装置またはシステムに限定されるべきではない。それは、他の装置または手段を含む経路でありうるＡの出力とＢの入力との間の経路（および／または逆もまた同様に）が存在することを意味する。
【００２０】
本発明の上記および他の目的ならびに機能がより明らかになり、本発明自体が添付図面と共に１つの実施形態の下記の説明を参照することによって最良に理解されることになる。
【図面の簡単な説明】
【００２１】
【図１】本発明によるメディア送信先装置へメディアコンテンツを配信するシステムの機能的表現を示す図である。
【発明を実施するための形態】
【００２２】
図１の図面を参照して下記の段落では、メディア送信先装置へメディアコンテンツを配信するシステムの実装形態が説明される。第２の段落では、言及された要素間のすべての接続が定義される。その後、図１に示される言及されたシステムのすべての関連の機能的手段が説明され、それに続いてすべての相互接続が説明される。後続の段落では、メディア送信先装置へメディアコンテンツを配信するシステムの実際の実行が説明される。
【００２３】
本発明によるメディアコンテンツを配信するシステムは、メディア配信装置ＭＤＤからのメディアを選択するための入力を受信するための入力受信装置ＩＲＤを備える。この入力受信装置ＩＲＤは、携帯電話などのユーザ端末装置内に含まれてよい。入力受信装置ＩＲＤは、バーコード読取り装置またはある物体に結合されたＲＦＩＤタグを読み取るためのＲＦＩＤ読取り装置などのタグ読取り装置であってよい。あるいは、入力受信装置は赤外線受信機またはキーボードであってよい。例えば入力受信装置は、携帯電話、ＩＰＴＶセットトップボックス、またはネットワーク化されたテレビジョンセット内に含まれてよい。
【００２４】
通常、複数のこの種の装置があるが、この実施形態では簡略化の理由のために１つの入力受信装置だけが説明される。
【００２５】
ユーザごとにより多くの入力受信装置が可能である。
【００２６】
システムは、メディアコンテンツを保持し、入力受信装置によって受信され、その後にメディア配信装置に転送される入力に応答して少なくとも１つの送信先装置にこのメディアコンテンツをさらにプロビジョニングするためのメディア配信装置ＭＤＤをさらに備える。本明細書ではこのメディア配信装置ＭＤＤは、複数の送信先装置（ＤＤ１、ＤＤ２、ＤＤ３）のうちの送信先装置のそれぞれにメディアコンテンツを配信することができる中央装置であると仮定する。この種のメディア配信装置はＩＰＴＶネットワーク内のメディア配信プラットホームであってよい。あるいは、これは音声／ビデオストリーミングサーバまたはウェブサーバであってよい。
【００２７】
システムは、メディアコンテンツを受信し、送信先装置に関連付けられた加入者またはユーザに対応する出力装置（ＯＤ１、ＯＤ２、ＯＤ３）を介してメディアコンテンツを提供するための複数の送信先装置（ＤＤ１、ＤＤ２、ＤＤ３）をさらに備える。この種の送信先装置はＩＰＴＶネットワークのＩＰＴＶセットトップボックスであってよく、関連の出力装置はテレビジョン画面である。あるいは、この送信先装置は送信先装置および対応する出力装置を含む携帯電話であってよい。あるいは、送信先装置は送信先装置および対応する出力装置および入力受信装置ＩＲＤを含む携帯電話であってよい。送信先装置は、メディア信号を受信し、デコードしまたはトランスコーディングし、自宅内のネットワーク化された出力装置（例えば、ネットワーク化されたテレビまたはネットワーク化されたフォトフレーム）に得られるメディア信号を送信する自宅内の家庭用電子機器であってよい。１つの代替実施形態では、送信先装置および対応する出力装置はパブリックディスプレイである。
【００２８】
他の代替実施形態では、出力装置がタグ上にある（例えば、信号が入力受信装置ＩＲＤおよびメディア配信装置ＭＤＤをトリガしたタグ）。この場合には関連の送信先装置ＤＤは、出力装置を含む同一のタグ内に含まれるか、入力受信装置として動作するタグ読取り装置内に含まれるかのいずれかであってよい。
【００２９】
他の代替実施形態では、出力装置および／または関連の送信先装置ＤＤが入力受信装置ＩＲＤ内に含まれる。
【００３０】
最後にシステムは、入力受信装置ＩＲＤを複数のメディア送信先装置ＤＤ１、ＤＤ２、ＤＤ３のうちの最小の１つのメディア送信先装置ＤＤ１に関連付けるように構成されている関連付け装置ＡＤを備える。この関連付け装置ＡＤは、サービスゲートウェイなどの自宅内の家庭用電子機器（の一部）であってよい。あるいは、関連付け装置はＩＰＴＶセットトップボックス、ネットワーク化されたテレビジョンセット、携帯電話またはネットワーク内のサーバ内に含まれてよい。
【００３１】
入力受信装置ＩＲＤは、インターネットプロトコルリンクまたはユニバーサルシリアルバス（ＵＳＢ）または端末装置内の電子バスまたはワイヤレスフィデリティ（ＷｉＦｉ、ＷＬＡＮ）リンクまたは赤外線リンクまたはモバイル通信用グローバルシステム（ＧＳＭ）リンクまたはＧＰＲＳもしくはＵＭＴＳリンクを用いて関連付け装置ＡＤに結合されている。次いで関連付け装置ＡＤは、インターネットプロトコルリンクまたはユニバーサルシリアルバス（ＵＳＢ）または端末装置内の電子バスまたはワイヤレスフィデリティ（ＷｉＦｉ、ＷＬＡＮ）リンクまたは赤外線リンクまたはモバイル通信用グローバルシステム（ＧＳＭ）リンクまたはＧＰＲＳもしくはＵＭＴＳリンクを介して中央のメディア配信装置ＭＤＤに結合されている。メディア配信装置ＭＤＤは、インターネットプロトコルリンクまたはユニバーサルシリアルバス（ＵＳＢ）または端末装置内の電子バスまたはワイヤレスフィデリティ（ＷｉＦｉ、ＷＬＡＮ）リンクまたは赤外線リンクまたはモバイル通信用グローバルシステム（ＧＳＭ）リンクまたはＧＰＲＳもしくはＵＭＴＳリンクを介して送信先装置ＤＤ１、ＤＤ２、ＤＤ３のいずれかに結合されている。
【００３２】
オブジェクトトークンからＳＴＢおよびマルチメディア配信プラットホームに送信されるデジタル情報は、ＩＤ、コード、ＵＲＬもしくはＵＲＩ、ＩＰアドレスまたはコンテンツに関するＤＲＭ証明書でありうる。
【００３３】
入力受信装置ＩＲＤは、ＲＦＩＤ読取り装置の場合に物体に結合されたＲＦＩＤタグを読み取ることができる、入力を受信するように構成された選択入力受信部ＳＩＲＰと、関連付け装置ＡＤに入力（すなわちＲＦＩＤタグ）を転送するように構成されている入力転送部ＳＩＦＰとを備える。選択入力転送部ＳＩＦＰに結合されている選択入力受信部ＳＩＲＰ。選択入力転送部は、出力が同時に入力受信装置ＩＲＤの出力Ｏ１である。
【００３４】
関連付け装置ＡＤは、前記入力受信部ＩＲＰからのメディアコンテンツを選択するための入力を受信するように構成された入力受信部ＩＲＰと、入力受信装置ＩＲＤを複数のメディア送信先装置ＤＤ１、ＤＤ２、ＤＤ３のうちの少なくとも１つのメディア送信先装置ＤＤ１に関連付けるように構成されている関連付け部ＡＰとを備える。関連付け装置ＡＤは、前記メディア配信部ＭＤＰによって前記少なくとも１つのメディア送信先装置ＤＤ１のそれぞれにメディアをプロビジョニングするために前記入力受信装置ＩＲＤと少なくとも１つのメディア送信先装置ＤＤ１との関連付けをメディア配信装置ＭＤＰに転送するように構成されている関連付け転送部ＡＦＰをさらに備える。
【００３５】
入力受信部ＩＲＰは、同時に関連付け装置ＡＤの入力端子Ｉ１である入力端子を有する。入力受信部ＩＲＰは関連付け部ＡＰにさらに結合されており、関連付け部ＡＰは関連付け転送部ＡＦＰに結合されている。関連付け転送部ＡＦＰは、同時に関連付け装置ＡＤの出力端子Ｏ２である出力端子を有する。
【００３６】
メディア配信装置ＭＤＤは、入力受信装置ＩＲＤと複数のメディア送信先装置ＤＤ１、ＤＤ２、ＤＤ３のうちの前記少なくとも１つのメディア送信先装置ＤＤ１との関連付けを受信するように構成された関連付け受信部ＡＲＰを備え、少なくとも１つの送信先装置ＤＤ１にメディアコンテンツをプロビジョニングするために入力受信装置ＩＲＤと複数のメディア送信先装置ＤＤ１、ＤＤ２、ＤＤ３のうちの少なくとも１つのメディア送信先装置ＤＤ１との関連付けから複数の送信先装置ＤＤ１、ＤＤ２、ＤＤ３のうちの少なくとも１つの送信先装置ＤＤ１を決定するように構成されている送信先決定部ＤＤＰをさらに備える。メディア配信装置ＭＤＤは、選択されたメディアを少なくとも１つのメディア送信先装置ＤＤ１のそれぞれにプロビジョニングするように構成されているメディアプロビジョニング部ＭＰＰをさらに備える。
【００３７】
関連付け受信部ＡＲＰは、同時にメディア配信装置ＭＤＤの入力端子である入力端子を有する。さらに関連付け受信部ＡＲＰは送信先決定部ＤＤＰに結合されており、次いで送信先決定部ＤＤＰはメディアプロビジョニング部ＭＰＰに結合されている。メディアプロビジョニング部は、同時にメディア配信装置ＭＤＤの出力端子Ｏ３である出力端子を有する。
【００３８】
メディア送信先装置ＤＤ１、ＤＤ２、ＤＤ３のそれぞれは、ＩＰＴＶ加入者の敷地にあるセットトップボックスである。あるいは、このメディア送信先装置はネットワーク化されたテレビジョンセット、または携帯電話（内に含まれてよい）であってよい。
【００３９】
接続された出力装置のそれぞれはＴＶ画面であってよい。あるいは、これはパーソナルコンピュータのＬＣＤディスプレイであってよい。
【００４０】
送信先装置ＤＤ１、ＤＤ２、ＤＤ３のそれぞれは、各出力装置ＯＤ１、ＯＤ２、ＯＤ３に結合されている。
【００４１】
本発明の実行を説明するために、入力受信装置（例えば、ＲＦＩＤ読取り装置）を含む携帯電話を有する加入者（ＩＰＴＶシステムを有する夫）が遠く離れた位置（例えば、店）に移動すると仮定される。そこで加入者は、加入者が関心のある商品に出会う。加入者の妻と商品について話し合うために加入者は、携帯電話の入力受信装置ＩＲＤ（例えばＲＦＩＤ読取り装置）を用いて商品に付けられたタグ（例えばＲＦＩＤタグ）に接触する。入力受信装置ＩＲＤの識別番号（例えば電話識別番号）と共にＲＦＩＤタグが、情報転送部ＩＦＤによって関連付け装置ＡＤに転送される。次いで情報受信部ＩＲＰは、入力受信装置ＩＲＤの識別番号と共に情報受信装置ＩＲＤによって受信した情報（例えばＲＦＩＤタグ）を受信する。入力受信装置ＩＲＤの識別番号が、一方では入力受信装置の識別番号および他方では１つまたは複数の関連の送信先装置を含む関連付け装置の関連付け部ＡＰ内の表で検索される。表は、入力受信装置ＩＲＤの識別番号およびユーザの敷地の居間内の関連の送信先装置（例えばＤＤ１）の識別番号を含む。関連付け転送部ＡＦＰは、１つまたは複数の関連の装置の識別番号をメディア配信装置ＭＤＤに送信する。関連付け受信部ＡＲＰは１つまたは複数の関連の装置の識別番号を受信する。その後に送信先決定部ＤＤＰは、受信したＲＦＩＤタグを介して識別されたメディアコンテンツと共に送信先（この場合にはＤＤ１）を決定する。１つの実施形態では、さらに関連付け部ＡＰまたは送信先決定部ＤＤＰは事前定義されたポリシを関連付け部ＡＰでの関連付けに適用することになる。この種のポリシの一例が、送信先（この場合にはＤＤ１）へのメディアの配信をトリガするこの入力受信装置ＩＲＤからのイベントの妥当性を説明することができる。例えば、妻は、夫の携帯電話が自宅にあるとき、夫の携帯電話が起動する入力受信装置ＩＲＤとしてだけ動作することができるようにポリシ（内の項目）を作成している可能性がある。ＲＦＩＤタグは、ＲＦＩＤタグに付けられた商品に関するメディアコンテンツ（例えば、短い宣伝用映画）を決定する。次いでメディア配信部ＭＤＰは、宣伝用映画または識別参照を送信先装置ＤＤ１に転送し、その後、送信先装置ＤＤ１は家族の他のメンバに映画を提供することが可能になる。宣伝用映画のこの提供により（携帯）電話を介する話し合いがサポートされる。
【００４２】
本明細書では本発明が様々なシナリオを可能にすることが示され、（遠隔の）入力受信装置が様々なクライアント装置で選択されたメディアコンテンツを提供することを可能にして任意の送信先装置に関連付けられることができる。
【００４３】
入力受信装置を少なくとも１つの送信先装置に関連付けることが可能である。
【００４４】
あるいは、２つ以上の入力受信装置を単一の送信先装置に関連付けることも可能である。このようにして家族のすべてのメンバ（すなわち、父、母、息子および娘のすべて）が、送信先装置（自宅の居間にある関連の画面を有するセットトップボックス）を介して選択されたメディアコンテンツを転送し表示するための関連の入力受信装置を使用するために入力受信装置を備える携帯電話を使用することができる。
【００４５】
最終の所見は、本発明の実施形態が機能ブロックに関して上述されていることである。上記のこれらのブロックの機能説明から、どのようにこれらのブロックの実施形態がよく知られている電子部品を用いて製造されることができるかが電子装置を設計する当業者にとって明らかである。したがって機能ブロックのコンテンツの詳細なアーキテクチャは示されていない。
【００４６】
本発明の原理が特定の装置に関連して上述されているが、この説明は単に例としてなされており、添付の「特許請求の範囲」で定義された本発明の範囲を限定するものではないことが明らかに理解されるべきである。
【図１】
0005537155.tif 000002